(57)【特許請求の範囲】
【請求項１】
先端に下顎（１）を備え、後端に柄部（２ｂ）を形成したレンチ本体（２）と、該レンチ本体（２）に揺動可能に枢着され、常時、第１バネ（９）によって下顎（１）に当接する側に弾圧されて下顎（１）と直交する位置に起立保持されたフレーム（３）と、該フレーム（３）に前記下顎（１）に向けて接離可能に案内支持された上顎（４）と、前記フレーム（３）内で前記上顎（４）に対して接離可能に支持され常時、第２バネ（１０）によって前記上顎（４）に当接して前記上顎（４）を位置決めするように付勢された位置決め部材（５）と、この位置決め部材（５）を、前記第２バネ（１０）に抗して前記上顎（４）から離隔させるロック解除部材（６）とを備え、このロック解除部材（６）は、前記フレーム（３）内で常時、第３バネ（１１）によって前記位置決め部材（５）を前記上顎（４）に当接する位置にロックするように組み込まれていることを特徴とするレンチ。
【請求項２】
前記レンチ本体（２）は、前記フレーム（３）の枢着部（２ｅ）における厚みが他の部分よりも薄肉部とされており、前記フレーム（３）は、前記レンチ本体（２）の厚み方向に２枚に分けて構成され、その２枚が前記レンチ本体（２）の前記薄肉部の両側に配置されており、前記位置決め部材（５）及びロック解除部材（６）は、２枚のフレーム（３、３）間に配置されていることを特徴とする請求項１に記載のレンチ。
【請求項３】
前記２枚のフレーム（３、３）間には前記レンチ本体（２）の厚み方向に間隔を保持するスぺーサ（１２）が固着され、前記位置決め部材（５）は貫通孔（５ｃ）を介して前記スペーサ（１２）に前記上顎（４）への接離方向に移動可能に保持され、前記スペーサ（１２）と前記貫通孔（５ｃ）との間に前記ロック解除部材（６）が移動可能に挿入され、前記ロック解除部材（６）と前記スペーサ（１２）との接触面に前記ロック解除部材（６）の移動時、前記位置決め部材（５）を前記上顎（４）から離隔する方向に移動させるための傾斜カム面（６ａ、１２ｅ）が形成されていることを特徴とする請求項２に記載のレンチ。
【請求項４】
前記フレーム（３）は前記上顎（４）の基部（４ａ）を該上顎（４）の移動方向に案内する案内凸部（３ｅ）を備え、この案内凸部（３ｅ）は、前記レンチ本体（２）の先後方向に段違い状に形成してあることを特徴とする請求項１〜３のいずれかに記載のレンチ。
【請求項５】
前記フレーム（３）には、前記位置決め部材（５）の設置位置に前記位置決め部材（５）の前記上顎接離方向への移動を許容する切欠部（３ｇ）が形成されていることを特徴とする請求項１〜４のいずれかに記載のレンチ。
【請求項６】
前記上顎（４）と前記位置決め部材（５）との当接面には、鋸歯状の凹凸歯部（４ｅ、５ｂ）が形成されており、この鋸歯状の凹凸歯部（４ｅ、５ｂ）は、上顎（４）が下顎（１）から離隔する方向への移動を阻止する形状とされていることを特徴とする請求項１〜５のいずれかに記載のレンチ。
【発明の詳細な説明】
【技術分野】
【０００１】
本発明は、ガス管や水道管等をエルボやニップル等の継手を介して配管接続する場合等に用いるレンチに関するものである。
【背景技術】
【０００２】
従来、ガス管や水道管等の配管に用いるレンチとして、下顎を先端に形成した本体に揺動自在なフレームを枢着し、該フレームに下顎と対をなす上顎をスライド自在に取り付けるとともに、上顎の後端に形成したラックギアをフレームに軸支されたウオームギアに噛合させたものが公知である（例えば、特許文献１参照）。
【先行技術文献】
【特許文献】
【０００３】
【特許文献１】特開２００３−１８１７７１号公報
【発明の概要】
【発明が解決しようとする課題】
【０００４】
特許文献１は、フレームに縦長のガイド溝を設け、このガイド溝に挿入されるガイドピンを上顎に形成し、操作時に上顎にかかる荷重を、上顎の鰓部と当接するフレームの前端縁だけでなく、上顎のガイドピンと当接するフレームのガイド溝にも分散させて受けさせるようにすることによって、フレームの肉厚を薄く（細く）し、これによって、レンチの厚みを薄くし、狭い間隔でも２本のレンチが干渉せず、ニップルのねじを傷付けることのないレンチを得るようにしたものである。
【０００５】
しかしながら、上記特許文献１は、下顎に対する上顎の移動、即ち、口開き操作をウオームギアの回転操作により、このウオームギアに噛合するラックギアを通して行う方式であるため、最小から最大まで、又は、最大から最小までのような大きい範囲の口開き操作を行う場合にはウオームギアを何回転も回す必要があり、非常に時間がかかる不具合があった。
【０００６】
また、上記特許文献１は、ウオームギアを採用しているため、レンチの厚みをウオームギアの外径以下に薄くすることができなかった。
本発明は、前記不具合点を解消するために開発されたもので、その目的とするところは、口開きを最大から最小までワンタッチで切り替え可能とし、ウオームレスとして厚みを薄くし得るレンチを提供することにある。
【課題を解決するための手段】
【０００７】
前記目的を達成するために本発明は、先端に下顎を備え、後端に柄部を形成したレンチ本体と、該レンチ本体に揺動可能に枢着され、常時バネによって下顎に当接する側に弾圧されて下顎と直交する位置に起立保持されたフレームと、該フレームに前記下顎に向けて接離可能に案内支持された上顎と、前記フレーム内で前記上顎に対して接離可能に支持され常時バネによって前記上顎に当接して前記上顎を位置決めするように付勢された位置決め部材と、この位置決め部材を、前記バネに抗して前記上顎から離隔させるロック解除部材とを備え、このロック解除部材は、前記フレーム内で常時バネによって前記位置決め部材を前記上顎に当接する位置にロックするように組み込まれていることを特徴としている。
【０００８】
この構成によれば、ロック解除部材で位置決め部材を上顎から離隔させることにより、下顎に対する上顎の口開きを最大から最小までワンタッチで切り替え可能とすることができると共に、ウオームレスとしてレンチの厚みを薄くし得る。
前記レンチ本体は、前記フレームの枢着部における厚みが他の部分よりも薄肉部とされており、前記フレームは、前記レンチ本体の厚み方向に２枚に分けて構成され、その２枚が前記レンチ本体の前記薄肉部の両側に配置されており、前記位置決め部材及びロック解除部材は、２枚のフレーム間に配置されていることが好ましい。
【０００９】
この構成によれば、位置決め部材及びロック解除部材を２枚のフレーム間に配置し、しかも、２枚のフレームをレンチ本体の厚みの範囲内にコンパクトに配置でき、レンチ全体の厚みを薄くでき、狭い場所での作業が可能となると共に、レンチを隣接して２丁使いをしてもレンチ同士が干渉せず邪魔にならない。
前記２枚のフレーム間には前記レンチ本体の厚み方向に間隔を保持するスぺーサが固着され、前記位置決め部材は貫通孔を介して前記スペーサに前記上顎への接離方向に移動可能に保持され、前記スペーサと前記貫通孔との間に前記ロック解除部材が移動可能に挿入され、前記ロック解除部材と前記スペーサとの接触面に前記ロック解除部材の移動時、前記位置決め部材を前記上顎から離隔する方向に移動させるための傾斜カム面が形成されていることが好ましい。
【００１０】
この構成によれば、２枚のフレーム間に固着されたスペーサを位置決め部材及びロック解除部材のホルダーと兼用させることができ、位置決め部材及びロック解除部材をコンパクトに組み込むことができる。
前記フレームは前記上顎の基部を該上顎の移動方向に案内する案内凸部を備え、この案内凸部は、前記レンチ本体の先後方向に段違い状に形成してあることが好ましい。
【００１１】
この構成によれば、レンチ本体の厚みを一層薄くすることができる。
前記フレームには、前記位置決め部材の設置位置に前記位置決め部材の前記上顎接離方向への移動を許容する切欠部が形成されていることが好ましい。
この構成によれば、位置決め部材をフレームの厚みの範囲内に組み込むことができ、レンチ本体の厚みをさらに薄くすることができる。
【００１２】
前記上顎と前記位置決め部材との当接面には、鋸歯状の凹凸歯部が形成されており、この鋸歯状の凹凸歯部は、上顎が下顎から離隔する方向への移動を阻止する形状とされていることが好ましい。
この構成によれば、上顎と位置決め部材とが鋸歯状の凹凸歯部同士の噛み合わせのため、使用時に緩むことがなく、口開きを再調整する必要がない。
【発明の効果】
【００１３】
本発明によれば、口開きを最大から最小までワンタッチで切り替え可能とし、ウオームレスとして厚みを薄くし得るレンチを提供することができる。
【図面の簡単な説明】
【００１４】
【図１】（Ａ）（Ｂ）は本発明のレンチの側面図と平面図である。
【図２】本発明のレンチのロック解除状態の側面図である。
【図３】本発明のレンチの先端部の拡大平面図である。
【図４】本発明のレンチの図３におけるＡ−Ａ線縦断側面図である。
【図５】本発明のレンチの先端部の分解斜視図である。
【発明を実施するための形態】
【００１５】
以下、本発明に係るレンチの実施形態を図面を参照して説明する。
本発明に係るレンチは、図１〜図５に示すように、下顎１と、レンチ本体２と、フレーム３と、上顎４と、位置決め部材５と、ロック解除部材６とを主要部材としている。
下顎１は、上面に山形歯部１ａが形成され、下面に位置決め凸部１ｂが形成され、奥側にネジ穴１ｃが形成されている。
【００１６】
レンチ本体２は、先端に上向きの下顎取付台部２ａが設けられ、後端に水平に延びる柄部２ｂが形成されている。そして、下顎取付台部２ａには、位置決め凹部２ｃとネジ穴２ｄが形成され、この下顎取付台部２ａに下顎１が載置され、その際、相互の位置決め凹凸部１ｂ、２ｃが嵌合されることによって位置決めされ、相互のネジ穴１ｃ、２ｄに取付ネジ７がねじ込まれて下顎１が下顎取付台部２ａに取り替え可能に固着されている。
【００１７】
レンチ本体２の先端側には、下顎取付台部２ａの下部にフレーム枢着部２ｅが形成されており、このフレーム枢着部２ｅは、厚みが他の部分よりも薄肉部とされている。レンチ本体２は、厚み方向の断面形状が、薄肉のウェブ部２ｆと、このウェブ部２ｆの周縁を厚み方向両側に張り出して形成されたフランジ部２ｇとで先端側では逆Ｔ字形、後端側ではＩ字形とされ、このフランジ部２ｇがレンチ本体２の下面側から先端を経て上面側へ延長されて下顎取付台部２ａが形成されている。このフランジ部２ｇは、下顎取付台部２ａの後端２ｈからレンチ本体２の後方に向けて所定の範囲、即ち、フレーム３の揺動範囲に対応した範囲の上面側が部分的に削除されている。
【００１８】
レンチ本体２のフレーム枢着部２ｅには、レンチ本体２の厚み方向に貫通する軸孔２ｉが形成され、この軸孔２ｉとフレーム３の下端の取付部３ａに形成された軸孔３ｂとに薄平リベット等の枢軸８を挿通してカシメられることによって、フレーム３がレンチ本体２に揺動可能に枢着されている。このフレーム３は、第１バネ９によって下顎１の後端、及び／又は、下顎取付台部２ａの後端２ｈに当接する側に弾圧されて下顎１の上面と直交する位置に起立保持されている。
【００１９】
フレーム３は、図１、図５に示すように、下端に取付部３ａが形成され、この取付部３ａには軸孔３ｂが形成され、上部に上顎４のスライド案内部３ｃが形成され、このスライド案内部３ｃの後方に位置決め部材装着部３ｄが形成され、全体が薄板状とされ、レンチ本体２の厚み方向に２枚に分けて構成されており、その２枚がレンチ本体２の薄肉のウェブ部２ｆの両側に配置されて枢軸８で揺動可能に枢着されている。このフレーム３には、上顎４が下顎１に向けて接離可能に案内支持されている。
【００２０】
そのために、２枚のフレーム３、３の上部前面側端部には、上顎４の基部４ａの側面を上顎４の移動方向に案内するスライド案内部３ｃ、３ｃがレンチ本体２の厚み方向内側に直角に曲げた案内凸部３ｅ、３ｅとして形成されている。このスライド案内部３ｃ、３ｃ及び案内凸部３ｅ、３ｅに対応させて上顎４の基部４ａの両側面には、案内溝４ｂ、４ｂが形成され、これらが相互に凹凸係合されて案内移動可能とされている。これらの案内凸部３ｅ、３ｅ及び案内溝４ｂ、４ｂは、図１（Ｂ）に示すように、レンチ本体２の先後方向に段違い状に形成されている。２枚のフレーム３、３は、案内凸部３ｅ、３ｅがレンチ本体２の先後方向に段違い状に形成されている点で両側の形状が相違しているが、他の部分は、対称形状とされている。
【００２１】
この案内凸部３ｅ、３ｅは、フレーム３、３の上部前面側端部を内側に曲げて形成されて上顎４の基部４ａの両側面に案内溝４ｂ、４ｂに凹凸係合されていることにより、上顎４の前方への脱落を防止し、しかも、上顎４の基部４ａの厚みを薄くしても上顎４の強度低下を回避して上顎４から受ける荷重を上顎４の案内溝４ｂ及びフレーム３の案内凸部３ｅ、３ｅに広く分散させて負担させることができる。
【００２２】
上顎４は、上下方向に長い基部４ａと、この基部４ａの上半部から前方に突出する嘴部４ｃとからなり、側面視で略倒立Ｌ形状とされ、嘴部４ｃの下面に山形歯部４ｄが形成され、基部４ａの後面には鋸歯状の凹凸歯部４ｅが形成されている。
この上顎４をフレーム３の任意の位置で位置決めする位置決め部材５と、この位置決め部材５を位置決め位置に保持（ロック）し、所定時、ロックを解除するロック解除部材６とがフレーム３内に組み込まれている。
【００２３】
位置決め部材５は、フレーム３内で上顎４に対して接離可能に支持され、常時、第２バネ１０によって上顎４の後面に当接して上顎４を位置決めするように付勢されている。
位置決め部材５は、図５に示すように、前後方向（レンチ本体２の先後方向）の幅が長く、上下方向の寸法が短く、厚み方向（レンチ本体２の厚み方向）の寸法が薄くされた矩形ブロック形状の主体部５ａからなり、その前面が上顎４への当接面とされ、この当接面に鋸歯状の凹凸歯部５ｂが形成され、主体部５ａを上下方向に貫通して四角形状の貫通孔５ｃが形成されている。
【００２４】
上顎４の鋸歯状の凹凸歯部４ｅと位置決め部材５の鋸歯状の凹凸歯部５ｂとは、常時、第２バネ１０により当接係合されて上顎４の位置決めを行うものである。
これら上顎４の鋸歯状の凹凸歯部４ｅと位置決め部材５の鋸歯状の凹凸歯部５ｂとは、上顎４が下顎１から離隔する方向への移動を阻止する形状とされている。
ロック解除部材６は、位置決め部材５を、第２バネ１０に抗して上顎４から離隔させるもので、このロック解除部材６は、フレーム３内で、常時、第３バネ１１によって位置決め部材５を上顎４に当接する位置にロックするように組み込まれている。
【００２５】
これらの位置決め部材５及びロック解除部材６は、２枚のフレーム３、３間に配置されている。
具体的な構成を説明すると、２枚のフレーム３、３の位置決め部材装着部３ｄ、３ｄ間にはレンチ本体２の厚み方向に間隔を保持するスぺーサ１２が皿リベット等の連結具１３、１３によって固着されている。このスペーサ１２は、位置決め部材５とロック解除部材６を２枚のフレーム３、３内にコンパクトに組み込むための部材を兼用している。
【００２６】
そのために、スペーサ１２は、図５に示すように、上部間隔保持部１２ａと、下部間隔保持部１２ｂと、これらの間に形成され、下部から上部に向けて前後方向の幅が狭くなるようにクサビ形状とされた部材保持部１２ｃとを備えており、これら全体がレンチ本体２の厚み方向に一様な厚みで形成されている。
この部材保持部１２ｃは、上下方向寸法が位置決め部材５の主体部５ａの上下方向寸法とほぼ同じとされている。
【００２７】
また、部材保持部１２ｃは、レンチ本体２の先後方向の先端側となる前面が、図５に示すように、垂直面１２ｄとされ、後面が上部から下部に向けて後方へ突出する傾斜カム面１２ｅとされている。そして、垂直面１２ｄには、位置決め部材５を上顎４から離隔させるための退避用凹部１２ｆが形成されている。退避用凹部１２ｆの上下方向寸法は、位置決め部材５の上下方向寸法とほぼ同じとされている。
【００２８】
スペーサ１２の前後方向の幅は、上部間隔保持部１２ａが狭く、下部間隔保持部１２ｂが広くされている。
スペーサ１２の部材保持部１２ｃには、位置決め部材５の貫通孔５ｃが上部間隔保持部１２ａ側から嵌挿されている。この貫通孔５ｃの前部内面とスペーサ１２の退避用凹部１２ｆの前面との間には、第２バネ１０が圧縮状態で介在させてある。この第２バネ１０を安定して介在させておくために、貫通孔５ｃの前部内面とスペーサ１２の退避用凹部１２ｆの前面とには、図５に示すように、バネ座５ｄ、１２ｇが形成されている。
【００２９】
位置決め部材５の貫通孔５ｃには、ロック解除部材６がスペーサ１２の後面側から嵌挿されている。
ロック解除部材６は、前面がスペーサ１２の傾斜カム面１２ｅに当接される傾斜カム面６ａとされ、後面が貫通孔５ｃの内面後部に当接される垂直面６ｂとされ、上部から下部に向けて前後方向幅を薄くされたクサビ形状（スペーサ１２の部材保持部１２ｃと上下逆のクサビ形状）の主体部６ｃを備え、この主体部６ｃの上部後面側に操作部６ｄが突設され、下部後面側に係止部６ｅが突設され、全体がレンチ本体２の厚み方向に一様な厚みで形成されている。
【００３０】
ロック解除部材６の厚みは、スペーサ１２の厚みとほぼ同じとされている。そして、ロック解除部材６の傾斜カム面６ａとスペーサ１２の傾斜カム面１２ｅとの間には、第３バネ１１が圧縮状態で介在させてある。この第３バネ１１を安定して介在させておくために、両方の傾斜カム面６ａ、１２ｅに、それぞれ、半円筒状のバネ座６ｆ、１２ｈが形成されている（図５参照）。なお、ロック解除部材６の下部後面に形成されている係止部６ｅが位置決め部材５の貫通孔５ｃを出て位置決め部材５の下端後面に係止していることによって、ロック解除部材６が位置決め部材５の貫通孔５ｃから上方に抜け出さないように保持されている。また、スペーサ１２の後面上部にもストッパ部１２ｉが形成されており、このストッパ部１２ｉによって、ロック解除部材６の前面上端の係止部６ｇを係止させてロック解除部材６が位置決め部材５の貫通孔５ｃから上方に抜け出さないように保持させている（図５参照）。
【００３１】
上記したように、位置決め部材５とロック解除部材６とをスペーサ１２に組み込んだ状態とした上で、スペーサ１２を２枚のフレーム３、３の位置決め部材装着部３ｄ、３ｄ間に介在させて、該スペーサ１２の上部間隔保持部１２ａと下部間隔保持部１２ｂとに形成された連結孔１２ｊ、１２ｊ及びフレーム３、３に形成された連結孔３ｆ、３ｆに皿リベット等の連結具１３，１３を挿通しカシメ結合する。
【００３２】
この２枚のフレーム３、３に固着したスペーサ１２の下端とレンチ本体２の上面との間に、第１バネ９が圧縮状態で配設されている。この第１バネ９を安定して介在させておくために、スペーサ１２の下端とレンチ本体２の上面とにバネ座１２ｋ、２ｊが形成されている。
２枚のフレーム３、３には、切欠部３ｇ、３ｇが後方に向けて開放状態で形成されている。この切欠部３ｇ、３ｇは、位置決め部材５の設置位置に対応した位置のフレーム３、３に形成されている。この切欠部３ｇ、３ｇによって、位置決め部材５は、上顎４に対して接離方向へ自由に移動することを許容されている。
【００３３】
２枚のフレーム３、３の上端付近には、上顎４が上方へ抜け出すことを防止するためのストッパピン１４が設けられている。このストッパピン１４は、合わせ目を波形としたスプリングピンが使用されている。
本発明に係るレンチの実施形態は、以上の構成からなり、次に、その動作を説明する。
図１（Ａ）は、ロック解除部材６がスペーサ１２に対して第３バネ１１によって上方へ押し戻されており、その結果、位置決め部材５が上顎４に向けて第２バネ１０によって押し付けられ、鋸歯状の凹凸歯部５ｂ、４ｅが噛合して、フレーム３に対して上顎４の位置をロック状態で固定している。
【００３４】
この状態で、図２に示すように、ロック解除部材６の操作部６ｄを押し下げるとロック解除部材６の傾斜カム面６ａがスペーサ１２の傾斜カム面１２ｅを滑りながら移動し、位置決め部材５を後方へ移動させる。これにより、位置決め部材５は、上顎４から離隔し、その結果、上顎４はロック状態が解除され、フレーム３に対して上下方向に自由に移動させることができる。例えば、口開きを最大から最小までワンタッチで切り替えることができる。
【００３５】
ロック解除部材６の操作部６ｄから手又は指を離して、ロック解除部材６をフリーにすれば、第３バネ１１によってロック解除部材６がスペーサ１２に対して上方へ押し戻され、これと共に、第２バネ１０によって位置決め部材５が上顎４に当接するまで押し戻され、鋸歯状の凹凸歯部５ｂ、４ｅが噛合して、フレーム３に対して上顎４をロック状態で固定する。
【００３６】
具体的な使用状態においては、配管などのニップルや継手、或いは、ナット部やボルト部を下顎１と上顎４との間で挟持し、その状態でレンチ本体２の柄部２ｂを持って操作すると、図１（Ａ）の状態で時計方向に回すとき、下顎１と上顎４とは対象物を挟持した状態で一体的に回すことができる。また、第１図（Ａ）の状態で、レンチ本体２の柄部２ｂを反時計方向に回すとき、第１バネ９が、圧縮されてフレーム３に力が加えられなくなり、その分、フレーム３に対してレンチ本体２の柄部２ｂが枢軸８を中心として反時計方向に回動し、その結果、下顎１と上顎４との挟角が広がることになり、対象物の面を滑って逃げることになる。
【００３７】
勿論、レンチ本体２の柄部２ｂを時計方向に回せば、フレーム３を経由して上顎４に力が伝わり、対象物を下顎１と上顎４とでしっかりと挟持した状態で回すことができる。
従って、下顎１と上顎４とで対象物を挟持させた状態でレンチ本体２の柄部２ｂを時計方向と反時計方向とに連続して往復回動させて締付作業又は緩め作業ができ、その際、反時計方向の操作力はフレーム３が第１バネ９によって圧縮されて挟角を広げる方向に逃がすことになり、いわゆる、ラチェットレンチ機能を発揮するのである。
【００３８】
上記反時計方向の操作においても、フレーム３に対する上顎４の位置は、鋸歯状の凹凸歯部５ｂ、４ｅの噛合によってロック状態に保持されているため変化せず（下顎１と上顎４との口開き間隔が変化せず）、時計方向操作に移行すると、対象物の六角形面を最初に設定した状態で挟持して締付作業又は緩め作業を行うことができる。
特に、本発明の特徴は、ロック解除部材６で位置決め部材５を上顎４から離隔させることにより、下顎１に対する上顎４の口開きを最大から最小までワンタッチで切り替え可能とすることができると共に、ウオームレスとしてレンチの厚みを薄くし得る。
【００３９】
また、位置決め部材５及びロック解除部材６を２枚のフレーム３、３間に配置し、しかも、２枚のフレーム３、３をレンチ本体２の厚みの範囲内にコンパクトに配置でき、レンチ全体の厚みを薄くでき、狭い場所での作業が可能となると共に、レンチを隣接して２丁使いをしてもレンチ同士が干渉せず邪魔にならない。
さらに、２枚のフレーム３、３間に固着されたスペーサ１２を位置決め部材５及びロック解除部材６のホルダーと兼用させることができ、位置決め部材５及びロック解除部材６をコンパクトに組み込むことができる。
【００４０】
また、フレーム３、３は、上顎４の基部４ａを該上顎４の移動方向に案内する案内凸部３ｅ、３ｅを備え、この案内凸部３ｅ、３ｅは、レンチ本体２の先後方向に段違い状に形成してあることによって、レンチ本体２の厚みを一層薄くすることができる。
また、フレーム３、３には、位置決め部材５の設置位置に位置決め部材５の上顎接離方向への移動を許容する切欠部３ｇ、３ｇが形成されていることによって、位置決め部材５をフレーム３、３の厚みの範囲内に組み込むことができ、レンチ本体２の厚みをさらに薄くすることができる。
【００４１】
また、上顎４と位置決め部材５とが鋸歯状の凹凸歯部４ｅ、５ｂ同士の噛み合わせのため、使用時に緩むことがなく、口開きを再調整する必要がないという利点がある。
本発明に係るレンチの実施形態は、以上の構成と作用効果を奏するものであるが、本発明は、この実施形態にのみ制約されるものではなく、特許請求の範囲に記載した範囲内で自由に変更して実施することができる。例えば、位置決め部材５及びロック解除部材６は、スライド移動方式とした場合を例示しているが、揺動方式としてもよい。また、位置決め部材５及びロック解除部材６のフレーム３への組み込み構造は、実施形態に制約されず、同等の機能を奏する他の構成を採用してもよい。
【産業上の利用可能性】
【００４２】
本発明は、コーナーレンチに適用して好適であるが、他のレンチに適用することもできる。
【符号の説明】
【００４３】
１    下顎
１ａ    山形歯部
１ｂ    位置決め凸部
１ｃ    ネジ穴
２    レンチ本体
２ａ    下顎取付台
２ｂ    柄部
２ｃ    位置決め凹部
２ｄ    ネジ穴
２ｅ    フレーム枢着部
２ｆ    ウェブ部
２ｇ    フランジ部
２ｈ    下顎取付台後端
２ｉ    軸孔
２ｊ    バネ座
３    フレーム
３ａ    取付部
３ｂ    軸孔
３ｃ    スライド案内部
３ｄ    位置決め部材装着部
３ｅ    案内凸部
３ｆ    連結孔
３ｇ    切欠部
４    上顎
４ａ    基部
４ｂ    案内溝
４ｃ    嘴部
４ｄ    山形歯部
４ｅ    鋸歯状の凹凸歯部
５    位置決め部材
５ａ    主体部
５ｂ    鋸歯状の凹凸歯部
５ｃ    貫通孔
５ｄ    バネ座
６    ロック解除部材
６ａ    傾斜カム面
６ｂ    垂直面
６ｃ    主体部
６ｄ    操作部
６ｅ    係止部
６ｆ    バネ座
６ｇ    係止部
７    取付ネジ
８    枢軸
９    第１バネ
１０    第２バネ
１１    第３バネ
１２    スペーサ
１２ａ    上部間隔保持部
１２ｂ    下部間隔保持部
１２ｃ    部材保持部
１２ｄ    垂直面
１２ｅ    傾斜カム面
１２ｆ    凹部
１２ｇ    バネ座
１２ｈ    バネ座
１２ｉ    ストッパ部
１２ｊ    連結孔
１３    連結具
１４    ストッパピン
【図１】
0005509005.tif 000002
【図２】
0005509005.tif 000003
【図３】
0005509005.tif 000004
【図４】
0005509005.tif 000005
【図５】
0005509005.tif 000006